(57)【要約】【課題】本発明の課題は、古紙の回収のポイント付与システムにおいて、ポイントカードに記録されたデジタル情報の損失を防いだポイント付与システムを提供することである。【解決手段】載置された古紙の重量を計量する計量器と、該重量に基づいてポイントを算出する処理装置と、該ポイントを出力する出力装置を備えたポイント付与システムであって、該出力装置が一次元または二次元コードを読み取る光学読取装置を備えたリーダーライターであり、且つリライトカードに、文字情報と一次元または二次元コードを、サーマルヘッドを用いて印字することにより、本課題を解決することができた。【選択図】図７
2015052868.tif 000002
【特許請求の範囲】
【請求項１】
載置された古紙の重量を計量する計量器と、該重量に基づいてポイントを算出する処理装置と、該ポイントを出力する出力装置を備えたポイント付与システムであって、該出力装置が一次元または二次元コードを読み取る光学読取装置を備えたリーダーライターであり、且つリライトカードに、文字情報と一次元または二次元コードを、サーマルヘッドを用いて印字することを特徴とするポイント付与システム。
【請求項２】
該リライトカードが、通常無色ないし淡色の染料前駆体および、加熱により該染料前駆体に可逆的な色調変化を生じせしめる可逆性顕色剤を含有する可逆性感熱記録層を有するリライトカードであることを特徴とする、請求項１記載のポイント付与システム。
【請求項３】
演算機能を備えたサーバーを構成要素として有し、該リーダーライターが読み取った情報をネットワークを介して照会することを特徴とする、請求項１または２記載のポイント付与システム。
【発明の詳細な説明】
【技術分野】
【０００１】
本発明は、古紙回収時に、特典等が与えられるポイント付与システムに関するものであり、特に詳しくは、古紙回収時にポイントを付与し、更新されたポイント情報を、ポイントカード上に表示するポイント付与システムに関するものである。
【背景技術】
【０００２】
近年、環境保護および資源のリサイクルの観点から、新聞紙や雑誌などの古紙の回収が広く行われている。また、通常、古紙は、その重量に相当する粗品を渡すことで回収率を高めている。しかしながら、作業員が重量計測や粗品の提供を行う場合には、回収作業に多大な人件費がかかる問題があった。
【０００３】
かかる問題を解決するために、無人で古紙を回収する古紙回収装置と、重量に応じてポイントを付与し、機械読み取りのリーダーライターでポイントカードを発行するシステムが提案されている（例えば、特許文献１および２参照）。この様なシステムでは、裏面に磁気層を持つ磁気カードを用いるか、あるいはＩＣタグを装填したＩＣカードが用いられ、磁気層あるいはＩＣタグに記録されたデジタル情報は、リーダーライターによって読み取られ、演算機能を備えたサーバーまたはコンピューターを通じて情報が照会される。しかしながら、磁気カードやＩＣカードは、外部磁場やカードの変形により、記録されたデジタル情報が喪失する問題があった。この様に、古紙の回収のポイント付与システムにおいては、ポイントカードに記録されたデジタル情報の損失を防ぐ方法については、未だ検討がなされていなかった。
【０００４】
一方、カードに記録されたデジタル情報の損失を防ぐ方法として、従来は磁気層やＩＣタグに記録していたデジタル情報を、リライトカードの書き換え可能領域に印字し、光学的に読み取ることによる方法が提案されている（例えば、特許文献３参照）。リライトカードの書き換え可能領域にデジタル情報を印字する方法では、磁気層やＩＣタグが不要になるため、初期導入費用を抑えることができ、小規模ユーザーでも導入し易い利点もある。
【先行技術文献】
【特許文献】
【０００５】
【特許文献１】特開２００８−１４６４２８号公報
【特許文献２】特開２０１２−２３４４１８号公報
【特許文献３】特許第４４０５５６３号公報
【発明の概要】
【発明が解決しようとする課題】
【０００６】
本発明の課題は、古紙の回収のポイント付与システムにおいて、ポイントカードに記録されたデジタル情報の損失を防いだポイント付与システムを提供することである。
【課題を解決するための手段】
【０００７】
この課題を解決するための具体的手段は以下の通りである。
【０００８】
（１）載置された古紙の重量を計量する計量器と、該重量に基づいてポイントを算出する処理装置と、該ポイントを出力する出力装置を備えたポイント付与システムであって、該出力装置が一次元または二次元コードを読み取る光学読取装置を備えたリーダーライターであり、且つリライトカードに、文字情報と一次元または二次元コードを、サーマルヘッドを用いて印字することを特徴とするポイント付与システム。
【０００９】
（２）該リライトカードが、通常無色ないし淡色の染料前駆体および、加熱により該染料前駆体に可逆的な色調変化を生じせしめる可逆顕色剤を含有する可逆性感熱記録層を有するリライトカードである（１）記載のポイント付与システム。
【００１０】
（３）演算機能を備えたサーバーを構成要素として有し、該リーダーライターが読み取った情報をネットワークを介して照会する（１）または（２）記載のポイント付与システム。
【発明の効果】
【００１１】
本発明により、古紙の回収のポイント付与システムにおいて、ポイントカードに記録されたデジタル情報の損失を防いだポイント付与システムを提供することができる。
【図面の簡単な説明】
【００１２】
【図１】本発明に係わる古紙回収部の外観図。
【図２】本発明に係わる古紙回収部の内側の概略図。
【図３】本発明に係わるポイント処理ユニットの外観図。
【図４】本発明に係わるポイント処理ユニット内部の概略図。
【図５】本発明に係わるポイント付与システムの電気的構成を示すブロック図。
【図６】本発明に係わるポイント付与システムのネットワークを介した電気的構成を示すブロック図。
【図７】本発明のポイント付与システムを利用する際の一連の流れを示すフローチャート図。
【図８】本発明に係わるリライトカードの好適な使用例を示す図。
【発明を実施するための形態】
【００１３】
本発明のポイント付与システムは、載置された古紙の重量を計量する計量器と、該重量に基づいてポイントを算出する処理装置と、該ポイントを出力する出力装置を備えたポイント付与システムであって、該出力装置が一次元または二次元コードを読み取る光学読取装置を備えたリーダーライターであり、且つリライトカードに、文字情報と一次元または二次元コードを、サーマルヘッドを用いて印字するポイント付与システムである。
【００１４】
本発明のポイント付与システムの構成について以下に説明する。
本発明のポイント付与システムは、載置された古紙の重量を計量する計量器と、該重量に基づいてポイントを算出する処理装置と、該ポイントを出力する出力装置を備えたポイント付与システムである。
【００１５】
本発明に係わる計量器は載置された古紙の重量を計量するものである。古紙の重量は本発明に係る計量器に直接載置して重量を計量しても良いが、一般に古紙回収装置には、投入口から投入される古紙を収容する収容箱が備えられており、古紙は該収容箱と共に計量器で重量を計量しても良い。また、本発明に係わる計量器を備える古紙回収装置には、古紙を搬出し易くするために、収容箱にキャスタを設けることや、操作手順の音声案内や、パイロットランプの点滅で使用状況を知らせる装置など、付属装置を必要に応じて設置しても良い。
【００１６】
特典などが与えられるポイントは、計量された古紙の重量に基づき、演算機能を備えた処理装置によって、予め定められた換算式に基づいて算出される。
【００１７】
本発明において、ポイントをリライトカードに記録する出力装置は、一次元または二次元コードを読み取る光学読取装置を備えたリーダーライターであり、且つ本発明に係るリーダーライターは、所謂リライトプリンタである。リライトプリンタとは、後述するリライトカードに熱を加えることにより、印字と消去を行うプリンタであり、印字はサーマルヘッドやＹＡＧレーザーが用いられているが、十分な解像度が得られること、リーダーライターを小型化できることから、本発明に係わるリーダーライターにおいては、サーマルヘッドが用いられる。消去の際に熱を加える方法は、サーマルヘッド、熱ロール、熱スタンプなど、十分な消去性が得られれば特に限定されない。
【００１８】
本発明における一次元または二次元コードとは、バーコードなどの一次元コード、ＱＲコード（登録商標）、Ａｚｔｅｃコード、Ｓｅｍａコード、ＣＰコード、ＰＤＦ４１７などの二次元コードなどを挙げることができるが、光学的に読み取れるコードであれば、本発明はこれらに限定されるものではない。
【００１９】
本発明におけるリライトカードとは、熱により可視情報の書き込みと消去を繰り返し行える記録材料であり、ＰＥＴフィルムなどの基材上に、熱により書き換え可能な記録層（可逆性感熱記録層）が設けられている。また、リライトカードの、可逆性感熱記録層の上に保護層や、可逆性感熱記録層が設けられている面と反対側の面にカール防止を目的としてバックコート層が設けられていても良い。また、リライトカードには単色もしくは多色の印刷を施しても良く、印刷を施した上にＯＰニスによる表面コートを行っても良い。リライトカードに印刷やＯＰニスによる表面コートを施す場合には、耐熱性が良いことから、ＵＶ硬化型のインクやＯＰニスを用いることが好ましい。
【００２０】
リライトカードには、ロイコ式リライトカードと白濁式リライトカードの発消色のメカニズムの異なる２種類の記録材料が知られており、本発明にはその双方を用いることができる。ロイコ式リライトカードは、通常無色ないし淡色の染料前駆体（ロイコ染料）と、加熱によりこの染料前駆体を発色させ、これを再加熱して消色させる可逆性を有する顕色剤（可逆性顕色剤）を含有する可逆性感熱記録層を有するリライトカードであり、白濁式リライトカードは、樹脂母材中に有機低分子を分散したもので、熱により透明状態と白濁状態を可逆的に変化させるリライトカードであるが、光学読取装置による一次元または二次元コードの読み取りがし易いことから、本発明においてはロイコ式リライトカードが好ましい。
【００２１】
また、演算機能を備えたサーバーを構成要素として有し、リライトカードの真偽や履歴を照会するデータをサーバーに集約し、該リーダーライターが読み取った情報をネットワークを介して照会することにより、他のポイントシステムや顧客管理システムと連動させることができると共に、不正使用も防止できることから好ましい。特に、複数の古紙回収装置を設置する場合には、各リーダーライターが読み取った情報を共通のサーバーで照会することができることから好ましい。
【実施例】
【００２２】
＜ポイント付与システムの構成＞
以下、本発明のポイント付与システムについて、図面を参照して説明する。
【００２３】
図１は、本発明に係わる古紙回収部分の外観を示す。１は一時的に古紙を収納するハウスを、２は古紙を投入する投入口を、３は古紙を搬出する際に開ける搬出口を示す。
【００２４】
図１において、古紙は投入口２から投入され、ハウス１に一時的に保管され、搬出時には搬出口３を開けて搬出される。
【００２５】
図２は、本発明に係わる古紙回収部分の内側の概略を示す。４は投入された古紙を収容する収納箱を、５は投入された古紙と収納箱４の重量を計量する計量器を、６は収納箱４に備え付けられたキャスタを示す。図１における投入口２から投入された古紙は、収納箱４に入り、計量器５によって投入された古紙の重量が計量される。
【００２６】
図３は、本発明に係わるポイント処理ユニットの外観を示す。７はリライトカードを挿入するカードスロットを、８は操作を行うタッチパネルを、９はポイント処理ユニットを示す。図４は本発明に係わるポイント処理ユニット内部の概略を示す。１０は処理装置を、１１はリライトカードを、１２は光学読取装置を備えたリーダーライターを示す。リライトカード１１には、カードの登録番号、加算ポイント、累積ポイント、最新使用日など、人が内容を把握できる文字情報などと、光学読み取り可能な一次元または二次元コードとがカード表面に印字されている。
【００２７】
図５は、本発明のポイント付与システムの電気的構成を示すブロック図である。リライトカードに印字されている一次元または二次元コードをリーダーライター１２が読み取り、そのデータは処理装置１０に送られる。一方、計量器５によって計量された古紙の重量のデータも処理装置１０に送られる。
【００２８】
処理装置１０は、リーダーライター１２から送られたデータと、計量器５から送られたデータを基に、予め定められた換算式に基づいてポイントを計算し、カードの登録番号などのデータと一緒に、ポイントの更新データや最新使用日などのデータをリーダーライター１２に送る。リーダーライター１２は、処理装置１０から送られたデータに基づき、リライトカードに印字されている文字情報およびバーコードなどを消去し、カードの登録番号、加算ポイント、累積ポイント、最新使用日など、人が内容を把握できる文字情報などと、光学読み取り可能な一次元または二次元コードとの両方を、リライトカードの表面にサーマルヘッドにより新たに印字する。
【００２９】
図６は、本発明のポイント付与システムのネットワークを介した電気的構成を示すブロック図である。１３はネットワーク通信用の通信部を、１４はデータを照会する、演算機能を備えたサーバーを示す。処理装置１０に送られたデータは通信部１３を介して、サーバー１４に送られる。リライトカードの真偽や履歴を照会するデータをサーバー１４に集約しておくことで、他のポイントシステムや顧客管理システムと連動させることが可能である。
【００３０】
図７は、本発明のポイント付与システムを利用する際の一連の流れを示すフローチャート図である。図１および図４を参照しながら本発明のポイント付与システムにおける一連の流れを説明する。
【００３１】
古紙を投入する利用者は、リライトカード１１をカードスロット７に挿入する（ステップ１）。
【００３２】
リーダーライター１２はバーコードに記録されている情報を読み取り、データを処理装置１０に送る（ステップ２）。
【００３３】
処理装置１０は蓄えられているデータと照会し、リライトカードの真偽を判定する（ステップ３）。
【００３４】
次に、処理装置１０は計量器５を制御して古紙の重量を正確に計量できる様に風袋引き（収容箱４の計量）を行うと共に、ハウス１の投入口２のロックを解除し、利用者が古紙を投入口２から投入できる様にする（ステップ４）。
【００３５】
利用者が投入口２から古紙を投入し終えると（ステップ５）、収容箱４およびこれに収容された古紙の総重量を計量し、投入された古紙の重量を算出する（ステップ６）。
【００３６】
処理装置１０は、計量器５から送られた古紙の重量のデータを基に、予め定められた換算式に基づいてポイントを計算する（ステップ７）。ポイントを計算後、処理装置内に新しいデータを保存し（ステップ８）、処理装置１０は、リーダーライター１２を制御し、リライトカード１１に印字されている情報を消去し、続いて更新した情報をサーマルヘッドにより印字する（ステップ９）。
【００３７】
リライトカード１１への印字が終了すると、カードスロット７からリライトカード１１が排出される。
【００３８】
図８は、本発明に係わるリライトカードの好適な使用例を示す図である。１５は文字情報を、１６は二次元コードを、１７は一次元コードを示す。
【００３９】
＜デジタル情報の読み取り評価＞
本発明のポイント付与システムでは、前述の様にポイントカードとして、可視情報の書き換えが可能なリライトカード１１に、人が内容を把握できる文字情報などと、光学読み取り可能な一次元または二次元コードの両方をサーマルヘッドを用いて印字し、リーダーライター１２で可視情報の書き換えを行う。
【００４０】
裏面に磁気層を有する市販のロイコ式リライトカード（三菱製紙製ＴＲＣＧＢ３ＢＨ）を用い、リーダーライター１２を用いて、図８に示す図を印字した。その際、二次元コード１６および一次元コード１７には、文字情報１５と同じ情報を記録した。また、磁気記録装置を用い、裏面の磁気層にも同じ情報を記録した。次いで、リーダーライター１２および磁気記録装置を用い、情報が正常に記録され、且つ正常に読み取れることを確認した。
【００４１】
その後、磁気消去機を用い、６００ミリテスラの磁場を、上述の情報が記録されているリライトカードの可逆性感熱記録層側と、磁気層側に加えた。リーダーライター１２および磁気記録装置を用いてリライトカードに記録されている情報の読み取りを行った結果、二次元コード１６および一次元コード１７は正常に読み取ることができたが、磁気層に記録された情報は読み取ることができなかった。なお、可逆性感熱記録層側の文字情報１８にも変化は認められず、読み取ることが可能であった。
【００４２】
これとは別に、ＩＣカードとして市販のＪＩＳ２型非接触ＩＣカード（規格：Ｍｉｆａｒｅ１Ｋ）を用い、これにリライトカードにリーダーライター１２で記録したのと同じ情報を、ＩＣカードリーダーライターを用いて記録した。次いで、ＩＣカードリーダーライターを用い、情報が正常に記録され、且つ正常に読み取れることを確認した。
【００４３】
その後、ＪＩＳ  Ｃ  ６１０００−４−２に準じた静電気放電試験器を用い、同じ情報が記録されているリライトカードとＩＣカードに、印加電圧６ｋＶ、印加時間１０秒、印加箇所２０箇所、印加回数４０回の条件にて、接触放電法にて静電気試験を行った。リーダーライター１２を用いてリライトカードに記録されている情報の読み取りを行った結果、二次元コード１６および一次元コード１７は正常に読み取ることができた。可逆性感熱記録層側の文字情報１８にも変化は認められず、読み取ることが可能であった。一方、ＩＣカードに記録された情報は、ＩＣカードリーダーライターで読み取ることができなかった。
【００４４】
上述のデジタル情報の読み取り評価から明らかな様に、本発明のポイント付与システムにおいては、従来は磁気層やＩＣタグに記録していたデジタル情報を、二次元コードおよび一次元コードで記録することにより、古紙回収時に付与されるポイント等の情報の損失を防ぐことができる。
【産業上の利用可能性】
【００４５】
本発明のポイント付与システムは、古紙回収時に、特典等が与えられるポイント付与システムに好適に使用できる。
【符号の説明】
【００４６】
１  ハウス
２  投入口
３  搬出口
４  収納箱
５  計量器
６  キャスタ
７  カードスロット
８  タッチパネル
９  ポイント処理ユニット
１０  処理装置
１１  リライトカード
１２  リーダーライター
１３  ネットワーク通信用の通信部
１４  データを照会するサーバー
１５  文字情報
１６  二次元コード
１７  一次元コード
【図１】
2015052868.tif 000003
【図２】
2015052868.tif 000004
【図３】
2015052868.tif 000005
【図４】
2015052868.tif 000006
【図５】
2015052868.tif 000007
【図６】
2015052868.tif 000008
【図７】
2015052868.tif 000009
【図８】
2015052868.tif 000010